(57)【要約】【課題】空気抵抗が少なくなり、換気効率が向上すると共に、音が静かな浴室換気装置の提供。【解決手段】浴室Ｂに設置される本体ケース６１に、主吸気口６４と副吸気口６９と、排気口７０とが設けられ、本体ケース６１の内部にファンケース６２が格納され、ファンケース６２内の多翼ファン６３は、二段型の多翼ファンを構成しており、ファンケース６２の多翼ファン６３の空気吸引部８７Ａに臨む上下の両面部に、主吸気口６４及び副吸気口６７Ａ、６７Ｂ、６７Ｃから空気を導入する空気導入開口部７３Ａ，７４Ａが設けられ、ファンケース６２と本体ケース６１の天井部７２との間に、副吸気口６７Ａ、６７Ｂ、６７Ｃからの空気を天井部７２側の空気導入開口部７３Ａに導入する風路７７が形成されており、ファンケース６２の上下両面側から空気を吸引可能に構成されている。【選択図】  図３
2004162950.tif 000002
【特許請求の範囲】
【請求項１】
室内の空気を吸引する主吸気口と、他の室内の空気を吸引する副吸気口と、吸引した空気を建物外に排気する排気口とが設けられ、
本体ケース内部に、多翼ファンを内蔵するファンケースが格納されると共に、前記多翼ファンは、回転中心軸の中間部に仕切部が設けられると共に、該仕切部の表裏両面の外周縁部に羽部が設けられ、両面のそれぞれの羽部の回転領域中央部に空気吸引部が形成されて二段型の多翼ファンを構成していることを特徴とする多室用換気装置。
【請求項２】
請求項１の多室用換気装置であって、
前記ファンケースの排気口が前記本体ケースの前記排気口に接続されていると共に、前記ファンケースの前記多翼ファンの空気吸引部に対向する表裏の両面部に、前記主吸気口及び副吸気口から空気を導入する空気導入開口部が設けられ、前記ファンケースと前記本体ケースの奥壁部との間に、前記副吸気口からの空気を前記奥壁側の空気導入開口部に導入する風路が形成され、前記ファンケースの両面側から空気を吸引可能に構成されていることを特徴とする多室用換気装置。
【発明の詳細な説明】
【０００１】
【発明の属する技術分野】
本発明は、浴室に設置する浴室換気装置に関し、更に詳しくは、多室換気を行う場合の吸引効率を向上させた浴室用換気装置に関する。
【０００２】
【従来の技術】
従来、浴室換気装置としては、特開平９−１２６５１６号公報（特許文献１参照）に記載された「浴室換気乾燥機」が知られている。
【０００３】
この「浴室換気乾燥機」は、１つの送風ファンを用いて乾燥、暖房、換気、涼風の送風が出来るようにしたものであり、ダンパーの制御を容易なものとすることを課題とする。
【０００４】
図９は特開平９−１２６５１６号公報記載の「浴室換気乾燥機」を示したものである。
【０００５】
特開平９−１２６５１６号公報の００１２
【課題を解決するための手段】の記載によれば、この「浴室換気乾燥機」は、「吸込口部６と吹出口７と換気口８と、その換気口８に開口した風路２０を有する本体Ａと、この本体Ａ内に設けられて風路２０を第１風路２２と第２風路２３に区分する分流板２１と、この本体Ａ内に設けられて吸込口６より空気を吸い込んで前記第１・第２風路２２，２３に向けて吐出する送風用ファン１７と、この送風用ファン１７を回転する電動モーター１８と、前記本体Ａの吹出口７に設けられた通電することで発熱するヒータ１５と、前記本体Ａ内に設けられて第１位置と第２位置に移動するダンパー３０と、前記本体Ａ内に設けられて第１風路２２を開、閉する位置に移動するシャッタ３４と、このシャッタ３４を閉じ位置に保持する保持機構３６とを備え、前記ダンパー３０が第１位置の時は第２風路２３を吹出口７に開口し、かつ第２風路２３と換気口８を閉じ、ダンパー３０が第２位置の時には第２風路２３を換気口８に開口し、かつ第２風路２３と吹出口７を閉じる構成とし、前記シャッタ３４を常時閉じ位置となり、風圧により開き位置となる構成とし、前記保持機構３６を電気信号によってシャッタ３４の保持を解除する状態に切換可能な構成」とした浴室換気乾燥機である。
【０００６】
また、その他の例として図１０に示す「浴室換気装置」が知られている。この浴室換気装置において、浴室天井の取付開口部に挿入される本体ケース４０が、浴室内部の空気を吸引する主吸気口４１と、副吸込用ダクトジョイント４２と、排気用ダクトジョイント４３を備えている。主吸気口４１は通気性のあるフロントパネル４４によって覆われている。本体ケース４０の内部には、ファンケース４７が設けられ、ファンケース４７の下部にベルマウス４８が形成されている。ファンケース４７の側部には排気口４９が形成され、排気口４９は本体ケース４０の排気風路５０を介して排気用ダクトジョイント４３に接続されている。排気風路５０にはダンパー５１が設けられ、ダンパー５１の下方は排気風路５０の空気を浴室Ｂに循環する循環風路５２とされており、ダンパー５１が図上方向に点線に沿って回転移動したときに、循環風路５２に空気を通すことにより、浴室内を加温することが可能なヒータ５３が設けられている。ファンケース４７の内部には多翼ファン５４が設けられており、多翼ファン５４はモーター５５により回転するようになっている。
【０００７】
【特許文献１】
特開平９−１２６５１６号公報（段落００１２、００１３、図１）
【０００８】
【発明が解決しようとする課題】
しかしながら、特開平９−１２６５１６号公報記載の浴室換気乾燥機は、浴室内の空気のみを送風用ファン１７から吸い込んで換気口８から排気するものであり、浴室以外の他の部屋の空気を排気する機能は備えていない。
【０００９】
仮に、浴室以外の他の部屋の空気を浴室換気乾燥機で吸引して、浴室に戻すことなく建物外に排気するためには、換気乾燥装置の送風用ファン１７を格納している箱体４の第１側面板１に、浴室以外の室内に通じる開口部及びダクトを形成し、このダクトから入り込む空気を吸込口６から吸引するように構成する必要がある。
【００１０】
しかし、このように構成すると、浴室以外の室内から入り込む空気が仕切板５の周りを迂回して空気導入開口部の吸込口６から吸引されるので、吸引抵抗が大きく、吸引量が少なかったり、吸引音が大きくなる等の問題がある。
【００１１】
また、図１０に示すものでは、ファンケース４７の下側にのみ吸気用の主吸気口４１が形成されているので、主吸気口４１と副吸込用ダクトジョイント４２の両方から空気を吸い込む場合、副吸込用ダクトジョイント４２から吸い込む空気がファンケース４７の下側に回った後にベルマウス４８から吸い込むこととなる。このため、副吸込用ダクトジョイント４２から吸い込む空気抵抗や吸気音が大きくなると共に、副吸込用ダクトジョイント４２が複数設けられると、換気能力が不十分になる懸念もある。
【００１２】
そこで、本発明にかかる浴室用換気装置は、浴室以外の室内の空気を建物外に排出する機能を備える浴室用換気装置において、浴室以外の室内の空気を吸引する場合に、当該浴室以外の室内からの空気吸引量を増大して換気能力を向上させると共に、送風用ファンの電力消費量を少なく、吸引抵抗や吸引音を小さくできる浴室用換気装置を提供することを目的とする。
【００１３】
【課題を解決するための手段】
上記課題を解決するために、第１の多室用換気装置は、室内の空気を吸引する主吸気口と、他の室内の空気を吸引する副吸気口と、吸引した空気を建物外に排気する排気口とが設けられ、本体ケース内部に、多翼ファンを内蔵するファンケースが格納されると共に、前記多翼ファンは、回転中心軸の中間部に仕切部が設けられると共に、該仕切部の表裏両面の外周縁部に羽部が設けられ、両面のそれぞれの羽部の回転領域中央部に空気吸引部が形成されて二段型の多翼ファンを構成していることを特徴とする。
【００１４】
このような浴室用換気装置によれば、多翼ファンは、回転中心軸の中間部に仕切部が設けられると共に、該仕切部の表裏両面の外周縁部に羽部が設けられ、両面のそれぞれの羽部の回転領域中央部に空気吸引部が形成されて二段型の多翼ファンを構成しているので、多翼ファンの両面側から空気を吸引することが出来ることとなり、多翼ファンをファンケース内に格納してファンケースの両面にベルマウスを形成すると、ファンケースの上下両面側から空気を吸引できる。
【００１５】
第２の多室用換気装置は、請求項１の多室用換気装置であって、前記ファンケースの排気口が前記本体ケースの前記排気口に接続されていると共に、前記ファンケースの前記多翼ファンの空気吸引部に対向する表裏の両面部に、前記主吸気口及び副吸気口から空気を導入する空気導入開口部が設けられ、前記ファンケースと前記本体ケースの奥壁部との間に、前記副吸気口からの空気を前記奥壁側の空気導入開口部に導入する風路が形成され、前記ファンケースの両面側から空気を吸引可能に構成されていることを特徴とする。
【００１６】
このような浴室用換気装置によれば、ファンケースと本体ケースとの間に副吸気口からの導入空気を通す風路が形成され、ファンケースの両側に空気導入開口部が設けられているので、本体ケースの副吸気口の位置に対してファンケースの配置位置や形状が種類や型番等により異なっても、副吸気口からの浴室外の空気を導入する場合でもファンケースと本体ケースの奥壁部の間の風路から空気導入開口部に空気が導入され、ファンケースの上下両面側から空気を吸引できる。
【００１７】
これによって、副吸気口から浴室外の空気を導入する場合に、空気抵抗が少なくなり、換気効率が向上すると共に、音が静かになり、多翼ファンを回転させるモーターの消費電力を少なくできる。
【００１８】
【発明の実施の形態】
以下、本発明の実施の形態にかかる浴室用換気装置を図面に基づいて説明する。図１は実施の形態にかかる浴室用換気装置の主要構成を示したものである。
【００１９】
この浴室換気装置６０の本体ケース６１の内部には、ファンケース６２が設けられ、ファンケース６２の内部に二段型の多翼ファン６３が設けられている。本体ケース６１の浴室Ｂ側には、浴室Ｂの空気を吸引する主吸気口６４と循環用排気口６５が開口している。本体ケース６１の浴室Ｂ側の縁部には、主吸気口６４と循環用排気口６５を覆う化粧用のフロントパネル６６が着脱可能に取り付けられている。フロントパネル６６は主吸気口６４及び循環用排気通路６５に空気を通過させるための通気口が多数形成されている。
【００２０】
本体ケース６１の排気用ダクトジョイント７１の連通していない３側壁部６８Ａ、６８Ｃ（図１、図２裏面側）、６８Ｄ（図１、図２表面側）には、副吸気口６７Ａ、６７Ｂ、６７Ｃが開口されており、この副吸気口６７Ａ，６７Ｂ、６７Ｃの周縁部に、副吸込用ダクトジョイント６９が接触して取り付けられている。
【００２１】
本体ケース６１の他方の側壁部６８Ｂには排気口７０（図２参照）が開口され、この排気口７０の周縁部に排気用ダクトジョイント７１が接触して取り付けられている。副吸込用ダクトジョイント６９，７１は内部が空洞とされた筒状のものである。副吸込用ダクトジョイント６９の内部は本体ケース６１の内部と連通しており、排気用ダクトジョイント７１の内部はファンケース６２の多翼ファン６３から排出される空気の排気口（図示省略）と連通している。
【００２２】
本体ケース６１の奥壁部に該当する天井部７２には、多翼ファン６３を回転させるモーター７８が取り付けられている。モーター７８は、本体ケース６１の天井部７２に形成された格納室７８Ａの内部に配設されて固定される。多翼ファン６３を格納するファンケース６２の上下には、多翼ファン６３の上下両側から空気を吸引するための吸気口７３Ａ，７４Ａを備えたベルマウス７３，７４がそれぞれ取り付けられている。
【００２３】
ファンケース６２は、本体ケース６１の天井部７２から下方に突出する４本の支柱７５（図２参照）に支持されている。即ち、ファンケース６２と上部のベルマウス７３は天井部７２に取り付ける前に予め一体に組み立てられており、上部のベルマウス７３の内側から天井部７２側に向けて図示しないネジのネジ先端部を挿通し、当該ネジを支柱７５のネジ穴にねじ込むことでファンケース６２が天井部７２に保持される。
【００２４】
ファンケース６２の上部ベルマウス７３と本体ケース６１の奥壁部となる天井部７２との間には隙間が設けられており、この隙間が副吸気口６７Ａ、６７Ｂ、６７Ｃから吸引される空気の風路７７とされている。
【００２５】
ファンケース６２の下部のベルマウス７４は、多翼ファン６３をモーター７８の回転軸７９に取り付けた後に、ファンケース６２の下端縁部に取り付けられる。即ち、下部のベルマウス７４は、下部のベルマウス７４に挿入したボルトをファンケース６２の側壁部に設けた突起部８０の穴に通した後、ボルトのネジ部にナットを螺合して締結固定される。
【００２６】
ファンケース６２は、略円筒管の形状を有しており、円筒管の周壁部に排気口８１を備えている。排気口８１は、ベルマウス７３，７４の吸気口７３Ａ，７４Ａから吸引した空気を多翼ファン６３の羽部８７の間から排気する。本体ケース６１には排気口８１に通じる排気風路８２が形成されており、排気風路８２の出口側の側壁部８２Ａの下部にダンパー８３が揺動可能に軸止されている。排気風路８２の側壁部８２Ａにはダンパー８３の両側部を支持可能な段部８４が設けられている。段部８４は、排気風路８２から排気口７０に流れる空気を循環用排気口６５にガイドするようにダンパー８３が傾斜するときに、ダンパー８３の両側部を保持する。
【００２７】
循環用排気通路６５にはＰＴＣヒータ８５が配設されている。ＰＴＣヒータ８５は空気を通すことが可能なようにフィンを多数備えており、フィンの間を空気が通過するようになっている。ＰＴＣヒータ８５のフィンは、通電されることにより発熱し、循環用排気通路６５に送られてきた空気を暖めて、浴室Ｂに送風する。
【００２８】
多翼ファン６３は、図３に示すように、円筒篭型の形状を有しており、回転中心軸方向における中央部に仕切板８６が設けられている。仕切板８６の外周縁部の上下両面には、円弧状の断面形状を有する羽部８７が多数形成されている。羽部８７の端部は環状部８８により連結されている。仕切板８６の上下両面の羽部８７の回転領域中央部に空気吸引部８７Ａ、８７Ｂが形成され、二段型の多翼ファン６３を構成している。
【００２９】
仕切板８６の中央部には筒部８９が形成され、筒部８９にモーター７８の回転軸７９が保持されている。筒部８９の内側の断面と回転軸７９の先端部の断面は、互いに噛み合うように、例えばＤ型断面に形成され、回り止めが形成されており、筒部８９の外側からネジを螺着して回転軸７９を締め付けることにより締結されている。多翼ファン６３は上下に二段の構成とされ、上下のベルマウス７３，７４の吸気口７３Ａ、７４Ａの両方から空気を吸引可能とされている。
【００３０】
ダンパー８３の両側部には、循環用排気通路６５を閉じて排気風路８２から遮断したときに、循環用排気通路６５への空気の抜けを防止する遮蔽板９０が形成されており、ダンパー８３が循環用排気通路６５の開口縁部に当接したときに、ダンパー８３の両側部と循環用排気通路６５の開口縁部とを閉鎖する。
【００３１】
循環用排気通路６５の開口縁部は、ＰＴＣヒータ８５を支持する支持基板９１により形成されている。支持基板９１には循環用排気通路６５の開口部９２が形成されており、この開口部９２の下面部の開口縁部にはＰＴＣヒータ８５が取り付けられている。支持基板９１の下面にＰＴＣヒータ８５の周囲を覆うカバー９３が取り付けられている。
【００３２】
排気風路８２を形成する本体ケース６１の側壁部８２Ａには、開口部９４が設けられており、この開口部９４に回転軸９４Ａ（図３参照）が挿通される。この回転軸９４Ａの排気風路８２側の端部にはクランク状のリンク９５（図５参照）が設けられており、このリンク９５が遮蔽板９０に形成されたカム溝９６（図３参照）に噛み合っている。側壁部８２Ａの外側には図５に示すモーター９７が配設されており、このモーター９７の回転軸が回転することにより、前述のリンク９６が回動してダンパー８３が揺動可能となる。
【００３３】
この浴室換気装置においては、浴室Ｂに設置される本体ケース６１に、浴室Ｂ内部の空気を吸引する主吸気口６４と、浴室Ｂ外部の空気を吸引する副吸気口６９と、吸引した空気を建物外に排気する排気口７０とが設けられている。本体ケース６１の内部には、多翼ファン６３を内蔵するファンケース６２が格納されると共に、多翼ファン６３は、回転中心軸の中間部に上下に区画する仕切板８６が設けられており、仕切板８６の上下両面外周縁部には羽部８７が設けられ、上下のそれぞれの羽部８７の回転領域中央部に空気吸引部８７Ａが形成され、二段型の多翼ファンを構成している。
【００３４】
なお、多翼ファン６３の仕切板８６は必ずしも中央部に位置せず、空気吸引部８７Ａ又は８７Ｂ側の片寄った位置に設けられていても良く、また、仕切板８６に穴を開けて空気吸引部８７Ａ、８７Ｂの何れか側の空気が反対側に流れ込んで排気されるようにしても良い。
【００３５】
ファンケース６２の排気口８１が本体ケース６１の排気口７０に接続されていると共に、ファンケース６２の多翼ファン６３の空気吸引部８７Ａに臨む上下の両面部に、主吸気口６４及び副吸気口６７Ａ、６７Ｂ、６７Ｃから空気を導入する空気導入開口部７３Ａ，７４Ａが設けられている。また、ファンケース６２と本体ケース６１の天井部７２（奥壁部）との間に、副吸気口６７Ａ、６７Ｂ、６７Ｃからの空気を天井部７２側の空気導入開口部７３Ａに導入する風路７７が形成されており、ファンケース６２の上下両面側から空気を吸引可能に構成されている。
【００３６】
これによって、副吸気口６７Ａ、６７Ｂ、６７Ｃから浴室外の空気を導入する場合に、空気抵抗が少なくなり、換気効率が向上すると共に、音が静かになり、多翼ファン６３を回転させるモーター７８の消費電力を少なくできる。また、ファンケース６２の配置位置や形状が機種や型番等により異なっても、ファンケース６２の上下両面から空気を吸引できる。
【００３７】
図６，図７，図８は二段型の多翼ファン６３を、その回転軸７９を水平方向に向けて、設置した浴室換気装置６０を示す。この浴室換気装置６０では、多翼ファン６３の回転軸７９がダンパー８３の回動中心軸と平行に水平方向に向けられているので、ファンケース６２から吐出される空気の流速の揃った流れがダンパー８３によって向きを変えられる。ファンケース６２の両側部にはベルマウス７３，７４が設けられ、
この浴室換気装置６０の本体ケース６１の内部には、ファンケース６２が設けられ、ファンケース６２の内部に二段型の多翼ファン６３が設けられている。本体ケース６１の浴室Ｂ側には、浴室Ｂの空気を吸引する主吸気口６４と循環用排気口６５が開口している。本体ケース６１の浴室Ｂ側の縁部には、主吸気口６４と循環用排気口６５を覆う化粧用のフロントパネル６６が着脱可能に取り付けられている。フロントパネル６６は主吸気口６４及び循環用排気通路６５に空気を通過させるための通気口が多数形成されている。左右のベルマウス７３，７４には風路７７を介して空気が吸い込まれるようになっている。図６の符号１００は本体ケース６１に取り付けられてモーター７８を保持する取付金具であり、図８の符号１０１は本体ケース６１に被せられてその外側を覆う金属ケース、符号１０２は金属ケース１０１に開口された開口部、符号１０３は本体ケース６１及び金属ケース１０１の下端縁部に取り付けられて本体ケース６１と金属ケース１０１を天井部の取付開口部に据え付けるための取付枠部である。
【００３８】
【発明の効果】
本願の浴室用換気装置によれば、副吸気口から浴室外の空気を導入する場合に、空気抵抗が少なくなり、換気効率が向上すると共に、音が静かになり、多翼ファンを回転させるモーターの消費電力を少なくできる。
【図面の簡単な説明】
【図１】本発明の実施の形態にかかる浴室用換気装置の主要構成の模式図。
【図２】本発明の実施の形態にかかる浴室用換気装置の主要構成を示す分解斜視図。
【図３】図１，図２に示す浴室換気装置の上部構成を示す断面図。
【図４】図１〜図３に示す多翼ファンの斜視図。
【図５】図３に示す浴室用換気装置のダンパー側の縦断面図。
【図６】他の実施の形態に係る浴室換気装置の多翼ファンの設置例を示す図。
【図７】図６の浴室換気装置の断面構成を示す図。
【図８】図６の浴室換気装置の分解斜視図。
【図９】従来の浴室換気装置である特開平９−１２６５１６号公報の浴室換気乾燥機の断面図。
【図１０】他の従来の浴室換気装置の模式図。
【符号の説明】
Ｂ  浴室
６０  浴室換気装置
６１  本体ケース
６２  ファンケース
６３  多翼ファン
６４  主吸気口
６５  循環用排気通路
６６  フロントパネル
６７  副吸気口
７０  排気口
７３，７４  ベルマウス
７３Ａ、７４Ａ  吸気口
７７  風路
７８  モーター
８１  排気口
８２  排気風路
８７Ａ、８７Ｂ  空気吸引部
【図１】
2004162950.tif 000003
【図２】
2004162950.tif 000004
【図３】
2004162950.tif 000005
【図４】
2004162950.tif 000006
【図５】
2004162950.tif 000007
【図６】
2004162950.tif 000008
【図７】
2004162950.tif 000009
【図８】
2004162950.tif 000010
【図９】
2004162950.tif 000011
【図１０】
2004162950.tif 000012